(57)【要約】【課題】請求項１〜請求項3については、植物栽培用もしくはペット飼育用の定水位給水装置に関する内容である（尚、上記ペット等飼育用については、植木鉢及び培養土は無関係である）。請求項4〜請求項6については、上記植物栽培用の定水位給水装置に関する内容であるが課題は、何れも上記定水位給水装置を構成する要素の機能を向上するものであって明細書の背景技術の項目及び各請求項についての詳細は、上記明細書に記載の発明が解決しようとする課題及び課題を解決するための手段のそれぞれの項目を参照とする。【解決手段】各請求項についての解決手段の詳細は、明細書に記載の課題を解決するための手段の項目及び図面の内容を参照とする。【選択図】図１
2014128261.tif 000002
【特許請求の範囲】
【請求項１】
各種の水盤または水槽と各種の貯水容器の組み合わせを基本とした自然的に一定の設定水位を保つ植物栽培用水盤、もしくはペット飼育給水用水盤、または観賞魚用水槽（1w）等の定水位給水装置に使用とするところの上記貯水容器を頚部ツバ付貯水容器とし、上記頚部ツバ付貯水容器に螺合した螺合式中空蓋のテーパ付蓋部分を上記頚部ツバ付貯水容器の位置決めのストッパーとして利用出来る内径寸法のテーパ付蓋受用穴部を設けた、もし
くは上記頚部ツバ付貯水容器の頚部ツバ部分の吐出口側の環状平面座を上記頚部ツバ付貯水容器の位置決めのストッパーとし、穴部付懸架用貯水容器保持具の上端である頚部ツバ受部で受ける懸架支持具付の上記穴部付懸架用貯水容器保持具（10）を備えたことを特徴とする上記定水位供給装置。
【請求項２】
各種の水盤または水槽と各種の貯水容器の組み合わせを基本とした自然的に一定の設定水位を保つ植物栽培用水盤、もしくはペット飼育給水用水盤、または観賞魚用水槽等の定水位給水装置に使用とするところの上記貯水容器の中空蓋に設けた穴である挿入接続部に挿入する水深調整兼交換可能注水用の筒類において自重にて自然に落下する事のない肉厚0.3MM以上の表面が柔軟性及び弾力性と密着性に優れた材質製である上記水深調整兼交換可能注水用の筒類を備えたことを特徴とする上記定水位供給装置。
【請求項３】
各種の水盤または水槽と各種の貯水容器の組み合わせを基本とした自然的に一定の設定水位を保つ植物栽培用水 盤、もしくはペット飼育給水用水盤、または観賞魚用水槽等の定水位給水装置に使用とするところの上記貯水容器の中空蓋の挿入接続部に挿入する水深調整兼交換可能注水用の筒類において肉厚0.3MM以上、内径直径7MM以上に成形した柔軟性のある材質製であって肉厚の中には糸状繊維を含有する場合も含む事を特徴とする上記定水位供給装置。
【請求項４】
各種の水盤と各種の貯水容器の組み合わせを基本とした自然的に一定の設定水位を保つ植物栽培用水盤であって定水位給水装置に使用とするところの雨水等排出用のオーバーフロー穴付きの植物栽培器の箱形水盤に、充填した培養土の底面部より上部に向けて液体が浸透する上記植物栽培器の浸透方法として底面給水用貯水容器保持具及び水深調整兼交換可能注水用の筒類の先端を上記オーバーフロー穴より低い位置に設置し、かつ上記水深調
整兼交換可能注水用の筒類の先端を、上記底面給水用貯水容器保持具の先端と同位置または同先端より上側とするところの上記植物栽培器を備えたことを特徴とする上記定水位供給装置。
【請求項５】
各種の水盤と各種の貯水容器の組み合わせを基本とした自然的に一定の設定水位を保つ植物栽培用水盤であって定水位水装置に使用とするところの植物栽培器の箱形水盤に充填する培養土について、植物由来の粒状物質及び必要に応じて高分子性ポリマー含有物を含むものとし、その合計量が重量比にて培養土全体量の一割以上を占める配合になる様にし液体の浸透性を向上した全量可燃性培養土植物栽培器を備えたことを特徴とする上記定水
位供給装置。
【請求項６】
各種の水盤と各種の貯水容器の組み合わせを基本とした自然的に一定の設定水位を保つ植物栽培用水盤であって定水位給水装置に使用とするところの植物栽培器の箱形水盤の上部両側の取手に支柱が貫通できる大きさの支柱貫通用穴部または同支柱が収まる支柱固定用切り欠き部を設け、その真下の上記箱形水盤両側面に支柱末端受部を設置し必要に応じ上記支柱貫通用穴部または上記切り欠き部を使用して上記支柱末端受部に上記支柱の先端部をあずけ上記支柱を設置出来る構成とした支柱受部付植物栽培器を備えたことを特徴とする上記定水位供給装置。
【発明の詳細な説明】
【技術分野】
【０００１】
本発明は、水分を必要とする生物において水盤（または水槽）と貯水容器の組み合わせを基本とした自然的に一定の水位を保つ植物栽培用または、ペット等（猫、犬、小鳥、亀、小動物、観賞魚）飼育用のための定水位給水装置である。
【背景技術】
【０００２】
従来から存在する電気が不要で陶器で製作された鶏用の自動式水飲み器の原理の応用品である技術（例えば、特許文献１参照）を発展させた植物栽培用とペット等飼育用のための定水位給水装置について、先行技術としては、下記文献等のものが開発されているが、本出願の各請求項に記載の技術について本出願以前には、存在しないが、本出願により開発することで多機能化を進め実践的になる事を図った。上記両者(植物栽培用、ペット等飼育用)の定水位給水装置の新方法の主たる方法としては、貯水容器の蓋の中央に貫通の穴(以下は中空部と称す)を開けた上記蓋（以下は中空蓋と称す）に、上記中空部の内面に水深調整兼交換可能注水用の筒類を差し込み使用する。尚、上記両者に共通の効果としては、上記貯水容器の反転時に下方に自然排出される液体の排出量を抑制する、及び水深について再現性のある無段階調整が可能な事である。また本出願の上記定水位給水装置を応用した植物栽培用について、植木鉢の無人給水が可能の他に、植物栽培器において、立体的に棚を作り空間で栽培し、上記植物栽培器の数(面積)を増す事により一定期間無人給水により栽培可能であるところの畑ともなり、また液体に海洋深層水を混合活用した栽培法、炭類を培養土に活用した栽培法、更に新水耕栽培法（底面給水式）として葉物野菜の他に従来、行なわれていない花菖蒲、蔓物、アスパラガス等の多品種の栽培に水耕栽培の一種でありながら対応可能となり、また安定性と多機能性のある支柱の設置等が可能な高機能エコプランターの新栽培器等とその関係品を開発したものである。
【先行技術文献】
【特許文献】
【０００３】
【特許文献１】特開平１１−３１８２１６号公報
【特許文献２】特開平１１−２８９９８１号公報
【特許文献３】特開平１０−２９５２０８号公報
【特許文献４】特開昭５８−１８７１２２号公報
【特許文献５】特開２００５−２３７２１０号公報
【発明の概要】
【発明が解決しようとする課題】
【０００４】
請求項１についての課題は、各種の水盤または水槽と各種の貯水容器の組み合わせを基本とした自然的に一定の設定水位を保つ植物栽培用水盤、もしくはペット飼育給水用水盤、または観賞魚用水槽等の定水位給水装置に使用とするところの各種の貯水容器保持具を介して、上記水盤または上記水槽の水面との間に上記貯水容器に螺合にて取り付けた螺合式中空蓋に設けた穴である挿入接続部の内面に挿入した、水深調整兼交換可能注水用の筒類を宙吊りの状態(懸架状態)に保ち続けるための上記貯水容器保持具を、利用者に提供出来る事を、解決しようとする課題とする。尚、上記植物栽培用水盤の種類には、変形水盤、傾斜壁水盤、平形水盤、箱形水盤、一体成形
型水盤等がある。また上記のペットには、猫、犬、小鳥、亀、小動物等を含み、上記水深調整兼交換可能注水用の筒類の種類は、パイプ、ホース、チューブ等がある。
【０００５】
請求項２についての課題は、各種の水盤または水槽と各種の貯水容器の組み合わせを基本とした自然的に一定の設定水位を保つ植物栽培用水盤、もしくはペット飼育給水用水盤、または観賞魚用水槽等の定水位給水装置に使用とするところの上記貯水容器に中空蓋を介して連結する水深調整兼交換可能注水用の筒類において、上記中空蓋に設けた穴である挿入接続部の内面に着脱が容易に出来、また着脱を繰り返しても上記挿入接続部への密着性に優れ、自重にて上記穴より自然落下して外れる事も無く、かつ耐久性と弾力性が良く１時的に変形しても元の形に戻る復元力がある永久変形(塑性変形)の起き難い材質(素材)の上記水深調整兼交換可能注水用の筒類を利用者に提供出来る事を、解決しようとする課題とする。尚、上記中空蓋の種類には、上記貯水容器が自販機用のペットボトル容器の場合は螺合にて取り付ける螺合式中空蓋及び上記貯水容器が定水位用穴付容器の場合は差込み取り付ける縁付き中空蓋がある。
【０００６】
請求項３についての課題は、各種の水盤または水槽と各種の貯水容器の組み合わせを基本とした自然的に一定の設定水位を保つ植物栽培用水盤、もしくはペット飼育給水用水盤、または観賞魚用水槽等の定水位給水装置に使用とするところの上記貯水容器に中空蓋を介して連結する水深調整兼交換可能注水用の筒類において、上記中空蓋に設けた穴である挿入接続部の内面に着脱が容易に出来、着脱を繰り返しても上記挿入接続部への密着性に優れ、自重にて上記穴より自然落下して外れる事も無く、上記挿入接続部の内面に挿入する時の外力よりの変形に対する反発強度及び復元力と柔軟性を備えた条件に合う材質(素材)となる肉厚寸法であって、かつ液体が容易に排出する内径寸法の上記水深調整兼交換可能注水用の筒類を、利用者に提供出来る事を、解決しようとする課題とする。
【０００７】
請求項４についての課題は、各種の水盤と各種の貯水容器の組み合わせを基本とした自然的に一定の設定水位を保つ定水位給水装置を使用とするところの室内、室外兼用使用可能の植物栽培器用の箱形水盤において、充填した培養土の深さが30CM以内であって底面部側より上部に向けて液体が浸透し、雨及び如雨露を必要としないところの給水方法による底面給水式の上記箱形水盤を、利用者に提供出来る事を、解決しようとする課題とする。
【０００８】
請求項５についての課題は、各種の水盤と各種の貯水容器の組み合わせを基本とした自然的に一定の設定水位を保つ定水位給水装置を使用とするところの室内、室外兼用使用可能の植物栽培器用の箱形水盤において、同水盤に充填した培養土の深さが30CM以内であって底面部側より上部に向けて液体が浸透する性状の状態を真夏の晴天時も維持し、雨及び如雨露を必要としないところの給水方法による底面給水式の上記箱形水盤を、利用者に提
供出来る事を、解決しようとする課題とする。
【０００９】
請求項６についての課題は、各種の水盤と各種の貯水容器の組み合わせを基本とした自然的に一定の設定水位を保つ定水位給水装置を使用とするところの植物栽培器用の箱形水盤に設置する支柱において、強風が吹いても分解して飛散することのない安定的な構造であって栽培植物の成長特性に合致した多機能性用途の形状の上記支柱を設置可能な上記箱形水盤を、利用者に提供出来る事を、解決しようとする課題とする。
【課題を解決するための手段】
【００１０】
請求項１の課題を解決するための手段は、各種の水盤（1）または水槽（1w）と各種の貯水容器（2）の組み合わせを基本とした自然的に一定の設定水位（3）を保つ植物栽培用水盤、もしくはペット飼育給水用水盤、または観賞魚用水槽（1w）等の定水位給水装置（4）に使用とするところの上記貯水容器（2）を頚部ツバ付貯水容器（自販機用のペットボトル容器等を含む）（2a）とし、上記頚部ツバ付貯水容器（2a）に螺合した螺合式中空蓋（11a）のテーパ付蓋部分を上記頚部ツバ付貯水容器（2a）の位置決めのストッパーとして利用出来る内径寸法のテーパ付蓋受用穴部(自販機用のペットボトル容器であれば内径31〜33MM程度とする)（9）を設けた、もしくは上記頚部ツバ付貯水容器（2a）の頚部ツバ（5）部分の吐出口（7）側の環状平面座（8）を上記頚部ツバ付貯水容器（2a）の位置決めのストッパーとし、穴部付懸架用貯水容器保持具（10）の上端である頚部ツバ受部（32）で受ける懸架支持具（30）付の上記穴部付懸架用貯水容器保持具（10）を備えたことを特徴とする上記定水位供給装置（4）を利用者に提供する。尚、上記穴部付懸架用貯水容器保持具（10）を上記定水位供給装置（4）に備える構造としては、リベット等の永久固定締結具（40）を使用した固定締結具型懸架支持具（40a）またはボルト及びナツト（41）を使用した着脱式ボルト結合（41b）もしくはボルト類を使用しないところの居室における長押(ナゲシ)または鴨居 に差込 み取り付ける着脱吊り下げ金具式、または各種の水盤（1）もしくは水槽（1w）の上面角部に着脱式角部用コーナーブロック(41c)を置き三角平板部(55)を懸架支持具（30）の代替として穴部付懸架用貯水容器保持具（10）及びテーパ付蓋受用穴部（9）を備える構成等の上記各種の着脱型懸架支持具（40b）または、上記水盤（1）の内壁（1e）または上記水槽（1w）の内壁と一体に成形または溶着するところの成形型懸架支持具（41d）がある。また図4（a）等に記載のオーバーフロー穴（21）については、上記穴部付懸架用貯水容器保持具（10）を備えた箱形水盤内壁（1e）の反対側に同じ高さで複数設置する事により接地面と上記箱形水盤（1c）との間に枕木（スペーサー）を置く場合に水面深さの微調整及び水平度確認に作業性が良い。
【００１１】
請求項２の課題を解決するための手段は、各種の水盤（1）または水槽（1w）と各種の貯水容器（2）の組み合わせを基本とした自然的に一定の設定水位（3）を保つ植物栽培用水盤、もしくはペット飼育給水用水盤、または観賞魚用水槽（1w）等の定水位給水装置（4）に使用とするところの上記貯水容器（2）の中空蓋（11）に設けた穴である挿入接続部（12）に挿入する水深調整兼交換可能注水用の筒類（13）において自重にて自然に落下する事のない肉厚0.3MM以上の表面が柔軟性及び弾力性と密着性に優れた材質製（例柔軟性プラスチック系、ゴム系等）である上記水深調整兼交換可能注水用の筒類（13）を備えたことを特徴とする上記定水位供給装置（4）を利用者に提供する。尚、上記柔軟性プラスチック系では、ポリエチレン製、ポリウレタン製、ポリプロピレン製、軟質塩化ビニール製等及び上記ゴム系等では、天然ゴム製、合成ゴム製、シリコーンゴム製等がある。
【００１２】
請求項３の課題を解決するための手段は、各種の水盤（1）または水槽（1w）と各種の貯水容器（2）の組み合わせを基本とした自然的に一定の設定水位（3）を保つ植物栽培用水盤、もしくはペット飼育給水用水盤、または観賞魚用水槽（1w）等の定水位給水装置（4）に使用とするところの上記貯水容器（2）の中空蓋（11）の挿入接続部（12）に挿入する水深調整兼交換可能注水用の筒類（13）において肉厚0.3MM以上、内径直径7MM以上に成形した柔軟性のある材質製（柔軟性プラスチック系、ゴム系等）であって肉厚の中には糸状繊維を含有する場合も含む事を特徴とする上記定水位供給装置（4）を利用者に提供する。
【００１３】
請求項４の課題を解決するための手段は、各種の水盤（1）と各種の貯水容器（2）の組み合わせを基本とした自然的に一定の設定水位（3）を保つ植物栽培用水盤であって定水位給水装置（4）に使用とするところの雨水等排出用のオーバーフロー穴（21）付きの植物栽培器（24)の箱形水盤（1c）に、充填した培養土（22）の底面部より上部に向けて液体（23）が浸透する上記植物栽培器（24）の浸透方法として底面給水用貯水容器保持具（25）及び水深調整兼交換可能注水用の筒類（13）の先端を上記オーバーフロー穴（21)より低い位置に設置し、かつ上記水深調整兼交換可能注水用の筒類（13）の先端を、上記底面給水用貯水容器保持具（25）の先端と同位置または同先端より上側とする(上記底面給水用貯水容器保持具（25）の最下部先端は、上記水深調整兼交換可能注水用の筒類(13)の最下部先端と同位置または下に位置する)ところの上記植物栽培器（24）を利用者に提供する。尚、上記底面給水用貯水容器保持具（25）とは、漏斗型貯水容器保持具（29）の一種であって上記培養土（22）と共に用いる時の呼称であって下部直管部の長さは、その先端を上記培養土（22）に没するのに充分な長さを確保するものとする。また上記オーバーフロー穴（21）については、内径直径5MM以下で穴部付懸架用貯水容器保持具（10）を備えた上記水盤内壁（1e）の反対側に同じ高さで複数設置が良く、上記培養土（22）については、ヤシ殻破砕品（47a）または炭類破砕品（48）等を原料とする植物由来原料を含む配合とする事により液体の浸透性を向上出来る。また上記液体の浸透性の悪い上記培養土（22）については、メッシュ等の透水体（45）を上記箱形水盤（1c）の底面全体に敷き詰める方法もある(図4（ｄ）参照)。
【００１４】
請求項５の課題を解決するための手段は、各種の水盤（1）と各種の貯水容器（2)の組み合わせを基本とした自然的に一定の設定水位（3）を保つ植物栽培用水盤であって定水位給水装置（4）に使用とするところの植物栽培器（24）の箱形水盤（1c）に充填する培養土（22）について、植物由来の粒状物質（ヤシ殻破砕品（47a）、もみ殻（47b）、木くず（47c）、炭類破砕品（48）等）及び必要に応じて高分子性ポリマー含有物（49）を含むものとし、その合計量が重量比にて培養土全体量の一割以上を占める配合になる様にして水の浸透性を向上した全量可燃性培養土植物栽培器（24b）を利用者に提供する。
【００１５】
請求項６の課題を解決するための手段は、各種の水盤（1）と各種の貯水容器（2）の組み合わせを基本とした自然的に一定の設定水位（3）を保つ植物栽培用水盤であって定水位給水装置（4）に使用とするところの植物栽培器（24）の箱形水盤（1c）の上部両側の取手（1f）に支柱（26）が貫通できる大きさの支柱貫通用穴部（27a）または同支柱（26）が収まる支柱固定用切り欠き部（27b）を設け、その真下の上記箱形水盤（1c）両側面に支柱末端受部（28）を設置し必要に応じ上記支柱貫通用穴部（27a）または上記切り欠き部（27b）を使用して上記支柱末端受部（28）に上記支柱（26）の先端部をあずけ上記支柱（26）を設置出来る構成とした支柱受部付植物栽培器（24c）を利用者に提供する。
【発明の効果】
【００１６】
請求項１に記載の発明品を具現化する事により、各種の水盤または水槽と各種の貯水容器の組み合わせを基本とした自然的に一定の設定水位を保つ植物栽培用水盤、もしくはペット飼育給水用水盤、または観賞魚用水槽等の定水位給水装置に使用とするところの各種の貯水容器保持具を介して、上記水盤または上記水槽の水面との間に上記貯水容器に螺合にて取り付けた螺合式中空蓋に設けた穴である挿入接続部の内面に挿入した、水深調整兼交換可能注水用の筒類を宙吊りの状態(懸架状態)に保ち続けるための上記貯水容器保持具を、利用者に提供出来る効果がある。尚、上記植物栽培用水盤の具体例としてポット鉢利用播種時の給水、留守中の植木鉢の潅水、及び底面給水により如雨露では灌水困難である上部口径が底面の接地部直径以下である上部小径型（円筒型を含む）植木鉢（別名  花瓶風、花立て風、富士山風等プランター）としても灌水が容易となる。また上記上部小径型植木鉢での植栽は通常型植木鉢より培養土の容積に比べ空間への露出面積が狭いので水分蒸発が少く給水量も少なくて済む。玄関の外、墓前または仏壇の花立ての代替用等として生花より花を長持ち出来る、富士山風植木鉢プランター等は富士山観光土産用等に効果がある。
【００１７】
請求項２に記載の発明品を具現化する事により、各種の水盤または水槽と各種の貯水容器の組み合わせを基本とした自然的に一定の設定水位を保つ植物栽培用水盤、もしくはペット飼育給水用水盤、または観賞魚用水槽等の定水位給水装置に使用とするところの上記貯水容器に中空蓋を介して連結する水深調整兼交換可能注水用の筒類において、上記中空蓋に設けた穴である挿入接続部の内面に着脱が容易に出来、また着脱を繰り返しても上記挿入接続部への密着性に優れ、自重にて上記穴より自然落下して外れる事も無く、かつ耐久性と弾力性が良く１時的に変形しても元の形に戻る復元力がある永久変形(塑性変形)の起き難い材質(素材)の上記水深調整兼交換可能注水用の筒類を利用者に提供出来る効果がある。
【００１８】
請求項３に記載の発明品を具現化する事により、各種の水盤または水槽と各種の貯水容器の組み合わせを基本とした自然的に一定の設定水位を保つ植物栽培用水盤、もしくはペット飼育給水用水盤、または観賞魚用水槽等の定水位給水装置に使用とするところの上記貯水容器に中空蓋を介して連結する水深調整兼交換可能注水用の筒類において、上記中空蓋に設けた穴である挿入接続部の内面に着脱が容易に出来、着脱を繰り返しても上記挿入接続部への密着性に優れ、自重にて上記穴より自然落下して外れる事も無く、上記挿入接続部の内面に挿入する時の外力よりの変形に対する反発強度及び復元力と柔軟性を備えた条件に合う材質(素材)となる肉厚寸法であって、かつ液体が容易に排出する内径寸法の上記水深調整兼交換可能注水用の筒類を利用者に提供出来る効果がある。
【００１９】
請求項４に記載の発明品を具現化する事により、各種の水盤と各種の貯水容器の組み合わせを基本とした自然的に一定の設定水位を保つ定水位給水装置を使用とするところの室内、室外兼用使用可能の植物栽培器用の箱形水盤において、充填した培養土の深さが30CM以内であって底面部側より上部に向けて液体が浸透し、雨及び如雨露を必要としないところの給水方法による底面給水式の上記箱形水盤を、利用者に提供出来る効果がある。例と
して種まき、挿し木等に利便性がある。尚、上記培養土についてヤシ殻または炭類等の破砕品を原料とする全量植物由来原料とし更に有機肥料（堆肥、有機性液体肥料等）を使用する事により自動給水の有機栽培の野菜を消費者に提供出来、燃えるゴミとして処分出来る効果もある。  
【００２０】
請求項５に記載の発明品を具現化する事により、各種の水盤と各種の貯水容器の組み合わせを基本とした自然的に一定の設定水位を保つ定水位給水装置を使用とするところの室内、室外兼用使用可能の植物栽培器用の箱形水盤において、同水盤に充填した培養土の深さが30CM以内であって底面部側より上部に向けて液体が浸透する性状の状態を真夏の晴天時も維持し、雨及び如雨露を必要としないところの給水方法による底面給水式の上記箱形
水盤を、利用者に提供出来る効果がある。尚、通常の培養土については、使用後の処分に困るが本請求項の記載内容にて100%可燃性原料による培養土とした場合には、燃えるゴミとして処分出来る。
【００２１】
請求項６に記載の発明品を具現化する事により、各種の水盤と各種の貯水容器の組み合わせを基本とした自然的に一定の設定水位を保つ定水位給水装置を使用とするところの植物栽培器用の箱形水盤に設置する支柱において、強風が吹いても分解して飛散することのない安定的な構造であって栽培植物の成長特性に合致した多機能性用途の形状の上記支柱を設置可能な上記箱形水盤を、利用者に提供出来る効果がある。尚、上記多機能性用途の
形状としては、格子状壁面とした植物支持体、横棒を利用した蔓用ネットの取り付け、透明板による雨除け屋根または不透明板での日除け用傾斜板取り付け、格子状平面とした植物支持体等の取り付けも可能となる。
【図面の簡単な説明】
【００２２】
【図１】図（a）は、請求項１に記載の発明である懸架式の穴部付懸架用（10）である漏斗型貯水容器保持    具（29）の使用状態を示す側面断面図を表す。尚、同図の水盤（1）は、変形水盤（1a）の例として傾斜壁水盤（1b）と水槽（1w）との兼用型にて、植木鉢は、通常型植木鉢（38）及び上部小径型植木鉢（38a）の使用例を表し共に鉢底穴（39）付きとする。図（b）は、図（a）におけるＡ−Ａ線断面による平面断面図を表す。図（c）は、図（a）における漏斗型貯水容器保持具（29）と懸架支持具（30）であるΩ型懸架支持具(Ω型貯水容器保持具)（31）との関係を示したＢ−Ｂ線断面図を表す。図（d）は、図（a）における頚部ツバ付貯水容器（2a）と頚部ツバ（5）等を示した側面図を表す。図（e）は、図（a）における貯水容器（2）の中空蓋（11）の一種である螺合式中空蓋（11a）を示す側面図及び上記中空蓋（11）の挿入接続部（12）に連結する水深調整兼交換可能注水用の筒類（13）を示す側面図を表す。図（f）は、図（a）における穴部付懸架用貯水容器保持具（10）である漏斗型貯水容器保持具（29）のテーパ付蓋受用穴部（9）の内径寸法を31〜33MMとする断面図を表す。図（g）は、図（a）における漏斗型貯水容器保持具（29）の懸架支持具（30）であるΩ型懸架支持具(Ω型貯水容器保持具)（31）を示した平面図を表す。尚、上 記Ω型懸架支持具(Ω型貯水容器保持具)（31）は、穴部    付懸架用貯水容器保持具（10）として単体にても使用可能である、また結合用穴（56）はリベット(またはボ    ルト)を通し水盤（1）と結合するための穴である。
【図２】図（a）は、請求項２に記載の発明である柔軟性プラスチック系製筒類（14）またはゴム系製筒類（1    8）の水深調整兼交換可能注水用の筒類（13）をネジ（41ａ）付きの中空蓋（11）である螺合式中空蓋（11a）の中空部（46）（つまり挿入接続部（12））に挿入したところの右側面図及び左側面断面図を表す。図（b）は、請求項２に記載の発明である水深調整兼交換可能注水用の筒類（13）において、肉厚0.3MM以上の柔軟性プラスチック系製筒類（14）のプラスチック系製パイプ類（15）の側面図を表す。図（c）は、請求項２に記載の発明である水深調整兼交換可能注水用の筒類（13）において、肉厚0.3MM以上の柔軟性プラスチック系製筒類（14）のプラスチック系製ホース類（16）の側面図を表す。図（d）は、請求項２に記載の発明である水深調整兼交換可能注水用の筒類（13）において、肉厚0.3MM以上の柔軟性プラスチック系製筒類（14）のプラスチック系製チューブ類（17）の側面図を表す。図（e）は、請求項２に記載の発明である水深調整兼交換可能注水用の筒類（13）において、肉厚0.3MM以上のゴム系製筒類（18）のゴム系製ホース類（19）の側面図を表す。図（f）は、請求項２に記載の発明である水深調整兼交換可能注水用の筒類（13）において、肉厚0.3MM以上のゴム系製筒類（18）のゴム系製チューブ類（20）の側面図を表す。図（g）は、縁付き中空蓋（11b）を挿入するための挿入穴兼容器開放口（39a）付きの定水位用穴付貯水容器（2b）の要部断面図を表す。尚、一般的に定水位用穴付貯水容器（2b）と同等の目的に使用する容器について下部の穴(挿入穴兼容器開放口)の内径については、同容器内底面の清掃が指先等で可能である20MM以上とする。図（h）は、水深調整兼交換可能注水用の筒類（13）を装着した縁付き中空蓋（11b）を定水位用穴付貯水容器（2b）の挿入穴兼容器開放口（39a）に挿入した要部断面図を表す。図（i）は、中空蓋（11）である縁付き中空蓋（11b）の挿入接続部（12）に請求項２に記載の発明品である水深調整兼交換可能注水用の筒類（13）を挿入した状態の左側面図及び右側面断面図を表す。図（j）は、中空蓋（11）である縁付き中空蓋（11b）の左側面図及び右側面断面図を表す。尚、材質は柔軟性プラスチック系製とした。図（k）は、液体露出防止可能式平面台座（50）と水深調整兼交換可能注水用の筒類（13）、固定水源容器    植木鉢収納容器（52）、釜状ツバ付植木鉢（38b）、連通管(連通ホース)（53）等の組み合わせによる栽培方法の側面図を示した。尚、植木鉢1体ツバ(釜状ツバ)（54）は、害虫進入(ボウフラ等)防止、水分蒸発防止、凍結防止等を目的とした液体を外気より遮蔽するところの液体露出防止可能式定水位給水装置（59）の重要な要素を構成している。図（l）は、水深調整兼交換可能注水用の筒類（13）、定水位用穴付貯水容器（2b）、液体露出防止可能式平面台座（50）、平形水盤（1p）、各種の植木鉢等の組み合わせによる液体露出防止可能式定水位給水装置（59）を構成している栽培形体の側面図を示した。図（ｍ）は、上記図（l）におけるＣ−Ｃ線断面による断面図であって液体露出防止可能式平面台座（50）と平形水盤（1p）は接着剤（64）により両者を結合一体化し、躯体を形成して上記平面台座（50）のたわみ防止と強度の増加を図っている。尚、図中の液体（23）は��体露出防止可能式平面台座（50）と平形水盤（1p）、定水位用穴付貯水容器（2b）等により囲われ通常型植木鉢（38）の側壁面にて植木鉢挿入穴（60）を密閉する事により全体として液体露出防止可能式定水位給水装置（59）となる。
【図３】図（a）は、請求項3に記載の発明である柔軟性プラスチック系製筒類（14）の水深調整兼交換可能注水用の筒類（13)をネジ（41ａ）付きの中空蓋（11）である螺合式中空蓋（11a）の中空部（46）つまり挿入接続部（12）に挿入したところの右側面図及び左側面断面図を表す。図（b）は、請求項3に記載の発明品を示すところの、水深調整兼交換可能注水用の筒類（13)を肉厚0.3MM以上、内径直径7MM以上に成形した柔軟性プラスチック系製筒類（14）のプラスチック系製ホース類（16）の側面図を表す。図（c）は、請求項3に記載の発明品を示すところの、水深調整兼交換可能注水用の筒類（13)を肉厚0.3MM以上、内径直径7MM以上に成形した柔軟性プラスチック系製筒類（14）のプラスチック系製チューブ類（17）の側面図を表す。図（d）は、請求項3に記載の発明品を示すところの、水深調整兼交換可能注水用の筒類（13)を肉厚2MMにて内径直径9MMに成形した柔軟性のプラスチック系製ホース類（16）または柔軟性のプラスチック系製チューブ類（17）の側面図を表す。図（e）は、請求項３に記載の発明品である水深調整兼交換可能注水用の筒類（13）を中空蓋（11）である縁付き中空蓋（11b）に挿入した状態の左側面図及び右側面断面図を表す。図（f）は、水深調整兼交換可能注水用の筒類（13）を装着した縁付き中空蓋（11b）を定水位用穴付貯水容器（2b）の挿入穴兼容器開放口（39a）に挿入した要部断面図を表す。尚、上記縁付き中空蓋（11b）は、縁状ツバ（6）を上記定水位用穴付貯水容器（2b）の内側に位置させる事により水圧の負荷等よりの上記縁付き中空蓋（11b）の落下防止を果している。上記縁付き中空蓋（11b）を上記定水位用穴付貯水容器（2b）の内側に位置させる方法は上記縁付き中空蓋（11b）の材質を柔軟性のプラスチック系製として、上記挿入穴兼容器開放口挿入穴（39a）の内径より上記縁付き中空蓋（11b）の外形寸法を指で挟み小さくして上記挿入穴兼容器開放口（39a）に押し込む。図（g）は、縁付き中空蓋（11b）に水深調整兼交換可能注水用の筒類（13）を装着し、上記縁付き中空蓋（11b）の上下より弾力性ストップリング帯（13a）にて挟み上記筒類（13）の動きを規制した左側面図及び右側面断面図を表す。図（h）は、水深調整兼交換可能注水用の筒類（13）を装着した縁付き中空蓋（11b）の印籠部（6a）を定水位用穴付貯水容器（2b）の挿入穴兼容器開放口（39a）の末端部分に挿入した要部断面図を表す。図（i）は、水深調整兼交換可能注水用の筒類（13）等を装着した定水位給水装置（4）において球根の水耕栽培を示す。図（j）は、一定の設定水位を保つ植物栽培用水盤であって一体成形型水盤（1q）の平面図を表す。  図（k）は、図（j）のＤ−Ｄ線断面図を表す。図（l）は、図（j）の正面図を表す。図（ｍ）は、水深調整兼交換可能注水用の筒類（13）を装着した縁付き中空蓋（11b）を定水位用穴付貯水容器（2b）の挿入穴兼容器開放口（39a）に挿入した要部断面図を表す。尚、上記挿入穴兼容器開放口（39a）は、同容器内の清掃に使用出来、また上記水深調整兼交換可能注水用の筒類（13）は、両端を斜め切断として通水することで液体の表面張力を減少する事が出るので上記水深調整兼交換可能注水用の筒類（13）の径を小さく出来る、更に上記水深調整兼交換可能注水用の筒類（13）を挿入接続部（12）に���滑に挿入出来る。図（n）は、水深調整兼交換可能注水用の筒類（13）と縁付き中空蓋（11b）の間にツバ付スリーブ（ホース類簡易型壁面垂直継手）（11c）を使用の３点セット部品について左側面図及び右側面断面図を表す。図（o）は、ツバ付スリーブ（ホース類簡易型壁面垂直継手）（11c）の左側面図及び右側面断面図を表すが水深調整兼交換可能注水用の筒類（13）と縁付き中空蓋（11b）の結合を間接的にする場合に使用して位置決めの安定をさせる等が出来る。尚、本用途に使用するツバ付スリーブ（ホース類簡易型壁面垂直継手）（11c）については、新規発明によるものである。図（p）は、ツバ付スリーブ（ホース類簡易型壁面垂直継手）（11c）を使用して水深調整兼交換可能注水用の筒類（13）と縁付き中空蓋（11b）を間接的に接続し更にツバ付スリーブ（ホース類簡易型壁面垂直継手）（11c）が内側に外れない様にするために動きを規制出来る様に柔軟性スリーブ(チューブ輪切状リング)(58）を嵌めて同時に縁付き中空蓋（11b）をツバ付スリーブ（ホース類簡易型壁面垂直継手）（11c）との間に挟み固定する。
【図４】図（a）は、請求項4に記載の発明品である懸架式の穴部付懸架用貯水容器保持具（10）の一種である底面給水用貯水容器保持具（25）及び水深調整兼交換可能注水用の筒類（13）を植物栽培器（24）に使用した図であるが、図（c）のＥ−Ｅ線断面図を表している。  図（b）は、請求項4に記載の発明品である植物栽培器（24）の側面断面図である図（a）におけるＧ−Ｇ線断面図を表す。図（c）は、請求項4に記載の発明品である植物栽培器（24）の側面断面図である図（a）におけるＦ−Ｆ線断面図を表す。  図（d）は、請求項4に記載の発明品である植物栽培器（24）の箱形水盤（1c）の底面全体に透水体（45）を敷き詰めた側面断面図を表す。
【図５】図（a）は、請求項5に記載の発明品の1例である全量可燃性培養土植物栽培器（24b）の本体の側面断面図を表す。尚、底面給水用貯水容器保持具（25）と箱形水盤（1c）の間には透水体（45）が設置され上記底面給水用貯水容器保持具（25）で保持する頚部ツバ付貯水容器（2a）の中の液体への培養土（22）の混入等を防止する。図（b）は、本願にて使用する底面給水用貯水容器保持具（25）の1例であつて漏斗型貯水容器保持具（29）と延長管（43）との組み合わせで構成する事により、透水体（45）の厚みの変化等に対応出来るものとした場合の上記底面給水用貯水容器保持具（25）の右側面図及び左側面断面図を表す。
【図６】図（a）は、請求項6に記載の発明品を使用した支柱受部付植物栽培器（24c）に支柱（26）等を取り付けたところの右側面断面図及び左側面図を表す。図（b）は、請求項6に記載の発明品を使用した支柱受部付植物栽培器（24c）の支柱貫通用穴部（27a）及び支柱末端受部（28）等を示すところの右側面断面図及び左側面図を表す。尚、支柱末端受部（28）は、凹型支柱末端受部（28a）を使用している。図（c）は、図（b）における支柱末端受部（28）について貫通型支柱末端受部（28b）を使用している右側面部分断面図を表す。図（d）は、請求項6に記載の発明品を使用した支柱受部付植物栽培器（24c）を示すところの側面図であって複数の水平棒（33）による格子状壁面を設置したところを表す。 図（e）は、図（a）における支柱受部付植物栽培器（24c）に示す水平棒（33）を利用して建物の窓（34）との間蔓用ネット（35）を設置した側面図を表す。図（f）は、請求項6に記載の発明品を使用した支柱受部付植物栽培器（24c）の支柱固定用切り欠き部（27b）等を示すところの平面図を表す。尚、穴部付懸架用貯水容器保持具（10）は、着脱式角部用コーナーブロック(41c)による着脱型懸架支持具（40b）及び水盤内壁（1e）と一体に成形するところの成形型懸架支持具（41d）を用いている。図（g）は、請求項6に記載の発明品を使用した支柱受部付植物栽培器（24c）を示すところの側面図であって支柱（26）の水平棒（33）に雨除けの透明板（36）である傾斜板（37）を両面に設置したところを表す。図（h）は、請求項6に記載の発明品を使用した支柱受部付植物栽培器（24c）を示すところの側面図であって支柱固定用切り欠き部（27b）と支柱末端受部（28）を利用した、支柱（26）の上部に複数の水平棒（33）による格子状平面を設置したところを表す。
【発明を実施するための形態】
【００２３】
本出願において請求項１〜請求項6の各発明の形態は、図１〜図6の各図に基づいてそれぞれ説明している。
【実施例】
【００２４】
請求項1〜請求項6の各発明の実施例は、図１〜図6の各図に基づいて１部を除きそれぞれ実施し  具現性を確認している。尚、請求項4については、葉ネギ、ニンジン、請求項5については、アスパラガス、春菊を栽培したが培養土については、ヤシ殻破砕品を原料としたヤシ殻製培養土100%を使用により使用後は乾燥後に燃えるゴミとして処分出来た。請求項6については、エンドウ豆、朝顔等の栽培に利用し朝顔はグリーンカーテンに最適である。
【産業上の利用可能性】
【００２５】
請求項1〜請求項3については、植物栽培用もしくはペット飼育給水用または観賞魚用での産業上及び生活文化
向上発展の寄与に関する利用可能性のある内容である。請求項4〜請求項6については、植物栽培用での産業上及び生活文化向上発展の寄与に関する利用可能性のある内容である。 
【符号の説明】
【００２６】
（1）水盤                                       （1a）変形水盤
（1b）傾斜壁水盤                                （1c）箱形水盤 
（1d）壁面                                      （1e）内壁  
（1f）取手                                      （1p）平形水盤  
（1q）一体成形型水盤                            （1w）水槽
（2）貯水容器                                   （2a）頚部ツバ付貯水容器    
（2b）定水位用穴付貯水容器                      （2c）穴付貯水容器底面     
（2d）定水位用穴付貯水容器受用平面座穴部        （3）設定水位      
（4）定水位給水装置                             （5）頚部ツバ 
（6）縁状ツバ                                   （6a）印籠部 
（7）吐出口                                     （8）環状平面座
（9）テーパ付蓋受用穴部                         （10）穴部付懸架用貯水容器保持具
（11）中空蓋                                    （11a）螺合式中空蓋
（11b）縁状ツバ付き中空蓋                       （11c）ツバ付スリーブ（ホース類簡易型壁面垂直継手）
（11d）ツバ                                     （12）挿入接続部                                   
（13）水深調整兼交換可能注水用の筒類            （13a）弾力性ストップリング帯                      
（14）柔軟性プラスチック系製筒類                （15）プラスチック系製パイプ類                     
（16）プラスチック系製ホース類                  （17）プラスチック系製チューブ類
（18）ゴム系製筒類                              （19）ゴム系製ホース類  
（20）ゴム系製チューブ類                        （21）オーバーフロー穴
（22）培養土                                    （22a）植物由来原料混合製培養土
（23）液体                                      （23a）ペット用給水器        
（24）植物栽培器                                （24a）植物       
（24b）全量可燃性培養土植物栽培器               （24c）支柱受部付植物栽培器
（24d）観賞魚                                   （25）底面給水用貯水容器保持具
（26）支柱                                      （27a）支柱貫通用穴部
（27b）支柱固定用切り欠き部                     （28）支柱末端受部
（28a）凹型支柱末端受部                         （28b）貫通型支柱末端受部
（29）漏斗型貯水容器保持具                      （30）懸架支持具
（31）Ω型懸架支持具（Ω型貯水容器保持具）      （32）頚部ツバ受部
（33）水平棒                                    （33a）開き防止用横棒
（34）窓                                        （35）蔓用ネット
（36）透明板                                    （37）傾斜板
（38）通常型植木鉢                              （38a）上部小径型植木鉢（花瓶または花立て風植木鉢）
（38b）釜状ツバ付植木鉢(富士山または帽子風植木鉢)（39）鉢底穴
（39a）挿入穴兼容器開放口                       （40）永久固定締結具
（40a）固定締結具型懸架支持具                   （40b）着脱型懸架支持具  
（41）ボルト及びナット                          （41a）ネジ          
（41b）着脱式ボルト結合                         （41c）着脱式角部用コーナーブロック
（41d）成形型懸架支持具                         （42）空洞
（43）延長管                                    （44）貯水容器内液面    
（45）透水体                                    （46）中空部    
（47a）ヤシ殻破砕品                             （47b）もみ殻    
（47c）木くず                                   （48）炭類破砕品
（49）高分子性ポリマー含有物                    （50）液体露出防止可能式平面台座
（51）固定水源容器                              （52）植木鉢収納容器
（53）連通管(または連通ホース)                  （54）植木鉢1体ツバ(釜状ツバ)
（55）三角平板部                                （56）結合用穴  
（57）マグネット(または磁性体)                  （58）柔軟性スリーブ(チューブ輪切状リング)    
（59）液体露出防止可能式定水位給水装置          （60）植木鉢挿入穴   
（61）球根(または種子)                          （61a）スプラウト
（62）球根保持器                                （63）台座1体底穴付ポット
（64）接着剤
【図１】
2014128261.tif 000003
【図２】
2014128261.tif 000004
【図３】
2014128261.tif 000005
【図４】
2014128261.tif 000006
【図５】
2014128261.tif 000007
【図６】
2014128261.tif 000008